(57)【特許請求の範囲】
【請求項１】
汚水と活性汚泥の混合液を収容する水槽と、前記水槽内に無端状の循環流路を形成するように当該水槽内を仕切る仕切壁と、前記混合液を曝気すると共に前記循環流路に沿って前記混合液の循環撹拌流を形成する曝気撹拌装置と、を具備し、前記循環流路は、主要流路と、前記主要流路の端部同士を接続する平面視略半円状の円弧流路と、を備え、前記円弧流路には、前記混合液が円滑に旋回するように平面視円弧状を成す整流壁が設けられたオキシデーションディッチにおいて、
前記曝気撹拌装置は、縦軸に設けられたインペラが前記混合液に浸漬し前記縦軸の軸線回りに回転することで曝気及び循環撹拌流の形成を行う縦軸型曝気撹拌装置であり、
前記縦軸型曝気撹拌装置は、前記インペラが前記整流壁の下流側の端部より下流側の前記主要流路に位置するように設置され、
前記インペラの側方に位置し、前記円弧流路の前記整流壁より内周側又は外周側の何れか一方の流路へ向かう前記インペラの回転による噴出流を遮る逆流防止板を備え、
前記逆流防止板は垂下するように固定されたことを特徴とするオキシデーションディッチ。
【請求項２】
前記主要流路は、直線流路であることを特徴とする請求項１記載のオキシデーションディッチ。
【請求項３】
前記逆流防止板は、前記円弧流路の前記整流壁より内周側の流路への前記噴出流を遮ることを特徴とする請求項１又は２記載のオキシデーションディッチ。
【請求項４】
前記縦軸型曝気撹拌装置と前記逆流防止板は一体のユニットとされ、
前記縦軸型曝気撹拌装置の駆動部を載置する架台を、前記水槽の外周壁を形成する周囲壁と前記仕切壁に亘って載置することで、前記インペラ及び前記逆流防止板が所定位置に配置されることを特徴とする請求項１〜３の何れか一項に記載のオキシデーションディッチ。
【請求項５】
汚水と活性汚泥の混合液を収容する水槽と、前記水槽内に無端状の循環流路を形成するように当該水槽内を仕切る仕切壁と、前記混合液を曝気すると共に前記循環流路に沿って前記混合液の循環撹拌流を形成する曝気撹拌装置と、を具備し、前記循環流路は、主要流路と、前記主要流路の端部同士を接続する平面視略半円状の円弧流路と、を備え、前記円弧流路には、前記混合液が円滑に旋回するように平面視円弧状を成す整流壁が設けられたオキシデーションディッチの改修方法であって、
既設の前記曝気撹拌装置を撤去し、
新設の曝気撹拌装置を、縦軸に設けられたインペラが前記混合液に浸漬し前記縦軸の軸線回りに回転することで曝気及び循環撹拌流の形成を行う縦軸型曝気撹拌装置とし、
前記縦軸型曝気撹拌装置を、前記インペラが前記整流壁の下流側の端部より下流側の前記主要流路に位置するように設置し、且つ、前記インペラの側方で、前記円弧流路の前記整流壁より内周側又は外周側の何れか一方の流路へ向かうインペラの回転による噴出流を遮る逆流防止板を設置することを特徴とするオキシデーションディッチの改修方法。
【発明の詳細な説明】
【技術分野】
【０００１】
本発明は、オキシデーションディッチ及びオキシデーションディッチの改修方法に関する。
【背景技術】
【０００２】
下水の処理方法として、汚水と活性汚泥の混合液を収容する水槽と、水槽内に無端状の循環流路を形成するように当該水槽内を仕切る仕切壁と、混合液を曝気すると共に循環流路に沿って混合液の循環撹拌流を形成する撹拌羽根を備えた曝気撹拌装置と、を具備し、循環流路は、直線流路と、直線流路の端部同士を接続する平面視略半円状の円弧流路と、を有するオキシデーションディッチが知られている（特許文献１、２参照）。このオシキデーションディッチに用いられる曝気撹拌装置としては、縦軸型、横軸型及び斜軸型等がある。これらのうち、横軸型、斜軸型の曝気撹拌装置が用いられるオキシデーションディッチにあっては、曝気撹拌装置は、その撹拌羽根が直線流路に位置するように設置されると共に、円弧流路には、混合液が円滑に旋回するように平面視円弧状を成す整流壁が設けられるのが一般的である。一方、縦軸型の曝気撹拌装置が用いられるオキシデーションディッチにあっては、曝気撹拌装置は、撹拌羽根であるインペラが円弧流路の混合液に浸漬するように設置される。このようにインペラが円弧流路に設置され、特に仕切壁の端部に近付けて設置されるのは、インペラの回転により発生し上流側に向かう噴出流を仕切壁の端部で遮り上流側へ向かうのを抑制して槽全体に良好な循環撹拌流を形成するためである。
【先行技術文献】
【特許文献】
【０００３】
【特許文献１】特開２００１−２５２６８１号公報
【特許文献２】特開２００２−３２０９９４号公報
【発明の概要】
【発明が解決しようとする課題】
【０００４】
ここで、横軸型の曝気撹拌装置にあっては撹拌羽根に夾雑物が絡まりやすく、また、斜軸型の曝気撹拌装置にあっては撹拌力が弱く槽当たりの設置台数を増やす必要があるため、既設の横軸型、斜軸型の曝気撹拌装置を例えば老朽化等により新設の曝気撹拌装置に交換する場合には、縦軸型の曝気撹拌装置への交換が望まれるが、上述のように、横軸型、斜軸型の曝気撹拌装置が用いられるオキシデーションディッチにあっては、円弧流路に整流壁が設けられているため、当該整流壁が縦軸型曝気撹拌装置の設置の邪魔になってしまい設置できない。
【０００５】
そこで、縦軸型曝気撹拌装置のインペラが直線流路に位置するように設置することになるが、インペラの回転により発生する噴出流は、インペラの下流側だけでなく上流側にも噴出するため、上流側への噴出流が良好な循環撹拌流の形成を妨げ、下水処理性能を低下させるおそれがある。
【０００６】
そこで本発明は、円弧流路に整流壁を有するオシキデーションディッチであっても、縦軸型曝気撹拌装置によって槽内に効率良く循環撹拌流を形成できるオキシデーションディッチを提供することを目的とする。また、円弧流路に整流壁を有するオシキデーションディッチであっても、槽内に効率良く循環撹拌流を形成できる縦軸型曝気撹拌装置を簡易に設置でき、低コストでの改修を可能とするオキシデーションディッチの改修方法を提供することを目的とする。
【課題を解決するための手段】
【０００７】
本発明によるオキシデーションディッチは、汚水と活性汚泥の混合液を収容する水槽と、水槽内に無端状の循環流路を形成するように当該水槽内を仕切る仕切壁と、混合液を曝気すると共に循環流路に沿って混合液の循環撹拌流を形成する曝気撹拌装置と、を具備し、循環流路は、主要流路と、主要流路の端部同士を接続する平面視略半円状の円弧流路と、を備え、円弧流路には、混合液が円滑に旋回するように平面視円弧状を成す整流壁が設けられたオキシデーションディッチにおいて、曝気撹拌装置は、縦軸に設けられたインペラが混合液に浸漬し縦軸の軸線回りに回転することで曝気及び循環撹拌流の形成を行う縦軸型曝気撹拌装置であり、縦軸型曝気撹拌装置は、インペラが整流壁の下流側の端部より下流側の主要流路に位置するように設置され、インペラの側方に位置し、円弧流路の整流壁より内周側又は外周側の何れか一方の流路へ向かうインペラの回転による噴出流を遮る逆流防止板を備え、逆流防止板が垂下するように固定されたことを特徴としている。
【０００８】
このようなオキシデーションディッチによれば、水槽内を仕切る仕切壁により無端状の循環流路が形成されこの循環流路を主要流路及びこの主要流路の端部同士を接続する平面視略半円状の円弧流路により構成しこの円弧流路に平面視円弧状の整流壁を備えたオシキデーションディッチにあって、縦軸型曝気撹拌装置は、そのインペラが、円弧流路の整流壁の下流側の端部よりさらに下流側の主要流路に位置するように設置され、このインペラの回転によって、当該インペラより上流側で円弧流路の整流壁より内周側又は外周側の何れか一方の流路へ向かう噴出流は、インペラの側方に位置する逆流防止板により遮られて当該インペラより上流側へ向かうことが阻止され、これにより下流側に向かう良好な循環撹拌流が形成される。従って、円弧流路に整流壁を有するオシキデーションディッチであっても、縦軸型曝気撹拌装置によって槽内に効率良く循環撹拌流を形成できる。
【０００９】
ここで、主要流路は、直線流路であると、オキシデーションディッチを代表する例えば平面視長円形や馬蹄形の水槽を有するオキシデーションディッチに対して適用でき、特に好ましい。
【００１０】
また、逆流防止板は、円弧流路の整流壁より内周側の流路への噴出流を遮る構成であると、円弧流路の整流壁より外周側の流路に循環撹拌流が流れることになり、循環撹拌流が内周側の流路を流れる場合に比して、混合液が一層円滑に旋回し一層効率良く循環撹拌流を形成することができる。
【００１１】
また、縦軸型曝気撹拌装置と逆流防止板は一体のユニットとされ、縦軸型曝気撹拌装置の駆動部を載置する架台を、水槽の外周壁を形成する周囲壁と仕切壁に亘って載置することで、インペラ及び逆流防止板が所定位置に配置される構成であると、設置工事が非常に容易である。
【００１２】
また、本発明によるオキシデーションディッチの改修方法は、汚水と活性汚泥の混合液を収容する水槽と、水槽内に無端状の循環流路を形成するように当該水槽内を仕切る仕切壁と、混合液を曝気すると共に循環流路に沿って混合液の循環撹拌流を形成する曝気撹拌装置と、を具備し、循環流路は、主要流路と、主要流路の端部同士を接続する平面視略半円状の円弧流路と、を備え、円弧流路には、混合液が円滑に旋回するように平面視円弧状を成す整流壁が設けられたオキシデーションディッチの改修方法であって、既設の曝気撹拌装置を撤去し、新設の曝気撹拌装置を、縦軸に設けられたインペラが混合液に浸漬し縦軸の軸線回りに回転することで曝気及び循環撹拌流の形成を行う縦軸型曝気撹拌装置とし、縦軸型曝気撹拌装置を、インペラが整流壁の下流側の端部より下流側の主要流路に位置するように設置し、且つ、インペラの側方で、円弧流路の整流壁より内周側又は外周側の何れか一方の流路へ向かうインペラの回転による噴出流を遮る逆流防止板を設置することを特徴としている。
【００１３】
このようなオキシデーションディッチの改修方法によれば、水槽内を仕切る仕切壁により無端状の循環流路が形成されこの循環流路を主要流路及びこの主要流路の端部同士を接続する平面視略半円状の円弧流路により構成しこの円弧流路に平面視円弧状の整流壁を備えたオシキデーションディッチにあって、既設の曝気撹拌装置を撤去し、新設の縦軸型曝気撹拌装置を、インペラが整流壁の下流側の端部より下流側の主要流路に位置するように設置するため、このインペラの回転によって、当該インペラより上流側で円弧流路の整流壁より内周側又は外周側の何れか一方の流路へその噴出流が向かうが、この噴出流は、インペラの側方に位置する逆流防止板により遮られて当該インペラより上流側へ向かうことが阻止され、これにより下流側に向かう良好な循環撹拌流が形成される。従って、円弧流路に整流壁を有するオシキデーションディッチであっても、槽内に効率良く循環撹拌流を形成できる縦軸型曝気撹拌装置を簡易に設置でき、低コストでの改修を可能となる。
【発明の効果】
【００１４】
このように本発明によるオキシデーションディッチによれば、円弧流路に整流壁を有するオシキデーションディッチであっても、縦軸型曝気撹拌装置によって槽内に効率良く循環撹拌流を形成できる。また、本発明によるオキシデーションディッチの改修方法によれば、円弧流路に整流壁を有するオシキデーションディッチであっても、槽内に効率良く循環撹拌流を形成できる縦軸型曝気撹拌装置を簡易に設置でき、低コストでの改修を可能となる。
【図面の簡単な説明】
【００１５】
【図１】本発明の第1実施形態に係るオキシデーションディッチの改修方法により改修されたオキシデーションディッチを示す平面図である。
【図２】図1のII-II矢視図である。
【図３】本発明の第1実施形態に係るオキシデーションディッチの改修方法を説明するための平面図であり、既設の曝気撹拌装置が横軸型曝気撹拌装置である場合の図である。
【図４】既設の曝気撹拌装置が斜軸型曝気撹拌装置である場合の図である。
【図５】図３、図４に続く改修方法を説明するための平面図である。
【図６】本発明の第２実施形態に係るオキシデーションディッチの改修方法により改修されたオキシデーションディッチを示す平面図である。
【図７】本発明の第２実施形態に係るオキシデーションディッチの改修方法を説明するための平面図であり、既設の曝気撹拌装置が横軸型曝気撹拌装置である場合の図である。
【図８】既設の曝気撹拌装置が斜軸型曝気撹拌装置である場合の図である。
【図９】図７、図８に続く改修方法を説明するための平面図である。
【発明を実施するための形態】
【００１６】
以下、本発明によるオキシデーションディッチ及びオキシデーションディッチの改修方法の好適な実施形態について図面を参照しながら説明する。なお、各図において、同一の要素には同一の符号を付し、重複する説明は省略する。
【００１７】
図１は、本発明の第1実施形態に係るオキシデーションディッチを示す平面図、図２は、図1のII-II矢視図である。
【００１８】
図１に示すように、オキシデーションディッチ１００は、汚水と活性汚泥の混合液を収容する水槽１と、この水槽１内に無端状の循環流路を形成するように当該水槽内を仕切る仕切壁２と、混合液を曝気すると共に循環流路に沿って混合液の循環撹拌流を形成する縦軸型曝気撹拌装置３と、を具備している。
【００１９】
水槽１は、その外周壁を形成する周囲壁４が平面視長円形を成し、仕切壁２は、長円形内の中央において、当該長円形が延びる横長方向に直線状に延びている。循環流路は、主要流路となる直線状の直線流路５と、この直線流路５，５の端部同士を接続する平面視略半円状の円弧流路６と、を備えている。この円弧流路６には、混合液が円滑に旋回するように平面視円弧状を成す整流壁７が設けられ、円弧流路６の整流壁７より内周側に、曲率が大きい内周側流路８ａが形成されると共に、外周側に、これより曲率が小さい外周側流路８ｂが形成されている。
【００２０】
縦軸型曝気撹拌装置３は、図１及び図２に示すように、曝気撹拌を行うための撹拌羽根であるインペラ９と、このインペラ９を下端に有し鉛直方向に延びる縦軸である回転軸１０と、この回転軸１０を回転駆動しインペラ９を当該回転軸１０の軸線回りに回転するための電動機及び減速機等の駆動部１１と、を備え、そのインペラ９が整流壁７の下流側の端部７ａより下流側の直線流路５に位置し、端部７ａの下流側近傍に位置するように配置されている。
【００２１】
そして、駆動部１１は、平板状の架台１２の略中央に載置され、回転軸１０は、架台１２に設けられた開口を通して下方に延び、インペラ９は、水面付近に浸漬する配置とされている。
【００２２】
ここで、円弧流路６にあっては、下流側へ向かう循環撹拌流が外周側流路８ｂを流れた方が、内周側流路８ａを流れるよりも、一層円滑に旋回し一層効率良い循環撹拌流を形成することができるため、ここでは、そのような流れ（矢印参照）となるようにインペラ９は平面視反時計回りに回転する。
【００２３】
架台１２の上流側の端部には、逆流防止板１３が垂下するように固定されている。この逆流防止板１３は、円弧流路６の内周側流路８ａの出口を塞ぐように設けられている。詳しくは、逆流防止板１３は、図２に示すように、上下方向においてインペラ９の側方に位置し、インペラ９の回転により上流側へ向かって発生する噴出流を遮る（堰き止める）ために十分な程度の長さ（高さ）を有するものとされている。従って、当該上流側へ向かう噴出流が及ばない水深部、すなわち逆流防止板１３の鉛直下側は、循環撹拌流が通過し得る領域とされている。
【００２４】
なお、ここでは、図面理解の容易性を考慮して架台１２及び逆流防止板１３にはドットを付している。
【００２５】
このように縦軸型曝気撹拌装置３は、その駆動部１１が架台１２に載置されると共に、この架台１２に逆流防止板１３が設けられて、一体のユニットとされている。そして、架台１２を水槽１の周囲壁４と仕切壁２に亘って載置することで、インペラ９及び逆流防止板１３が前述した所定位置に配置される。なお、水槽１の上記ユニット（架台１２）及びその周辺部を除く部分は、水槽１の天井壁を成すスラブ１４により上から覆われている。
【００２６】
このような構成を有するオキシデーションディッチ１００にあっては、ここでは、タイマー制御により、槽全体が、所定時間は無酸素処理槽とされ、これに続く所定時間は好気処理槽とされ、これを繰り返す構成とされている。
【００２７】
具体的には、インペラ９は、例えば特開平１１−２９０８８５号公報や特開２０１０−２０３３５１号公報等に開示されているように昇降可能とされ、槽全体を好気処理槽とする場合には、インペラ９を図２に示す高さ位置で所定に回転させ曝気撹拌を行うことで好気状態の好気処理槽とし、槽全体を無酸素処理槽とする場合には、インペラ９を曝気位置と同位置でゆっくり低速で回転させ酸素を巻き込まない無酸素撹拌を行うことで無酸素状態の無酸素処理槽とし、若しくは、インペラ９を下降させ完全に水没させて回転させ酸素を巻き込まない無酸素撹拌を行うことで無酸素状態の無酸素処理槽とする。そして、このように無酸素処理を行うことで脱窒を行い、好気処理を行うことで有機物を分解する。
【００２８】
次に、このような構成を有する第１実施形態に係るオキシデーションディッチを得るためのオキシデーションディッチの改修方法について説明する。
【００２９】
図３は、オキシデーションディッチの改修方法を説明するための平面図であり、既設の曝気撹拌装置が横軸型曝気撹拌装置である場合の図、図４は、既設の曝気撹拌装置が斜軸型曝気撹拌装置である場合の図、図５は、図３、図４に続く改修方法を説明するための平面図である。
【００３０】
既設のオキシデーションディッチにあって、曝気撹拌装置として、図３に示すように、各直線流路５の円弧流路６寄りの位置に横軸型曝気撹拌装置９０が各々用いられている場合には、当該既設の横軸型曝気撹拌装置９０を撤去すると共に、図５に示すように、新設の縦軸型曝気撹拌装置３を設置すべくスラブ１４の対応部分を撤去し（ここでは横軸型曝気撹拌装置９０の撤去部分より図示左右方向のスラブをさらに撤去し）、架台１２を設置するための開口１５を各々設ける。なお、図４に示すように、各直線流路５の略中央位置に斜軸型曝気撹拌装置９１が各々用いられている場合も同様に、当該既設の斜軸型曝気撹拌装置９１を撤去すると共に、図５に示すように、新設の縦軸型曝気撹拌装置３を設置すべくスラブ１４の対応部分を撤去し、架台１２を設置するための開口１５を各々設ける。なお、斜軸型曝気撹拌装置９１を撤去した部分に対してはスラブ１４により覆う。
【００３１】
次いで、図５に示す開口１５に対し、前述したように、架台１２を水槽１の周囲壁４と仕切壁２に亘って載置する。すると、インペラ９及び逆流防止板１３が上記所定位置にセットされ、図１に示すオキシデーションディッチ１００が得られる。
【００３２】
このようにして得られたオキシデーションディッチ１００にあっては、縦軸型曝気撹拌装置３は、そのインペラ９が、円弧流路６の整流壁７の下流側の端部７ａよりさらに下流側の直線流路５に位置するように設置されると共に、そのインペラ９が反時計回りに回転するため、インペラ９による上流側への噴出流は、当該インペラ９より上流側の円弧流路６の内周側流路８ａへ向かう。
【００３３】
このとき、噴出流は逆流防止板１３により遮られてインペラ９より上流側へ向かうことが阻止されるため、矢印で示すように円弧流路６の外周側流路８ｂを通り下流側に向かう良好な循環撹拌流が形成される。従って、円弧流路６に整流壁７を有するオシキデーションディッチ１００であっても、縦軸型曝気撹拌装置３によって槽内に効率良く循環撹拌流を形成できる。
【００３４】
また、本実施形態のオキシデーションディッチ１００にあっては、縦軸型曝気撹拌装置３と逆流防止板１３は一体のユニットとされ、縦軸型曝気撹拌装置３の駆動部１１を載置する架台１２を、周囲壁４と仕切壁２に亘って載置することで、インペラ９及び逆流防止板１３が所定位置に配置されるため、設置工事が非常に容易である。
【００３５】
また、本実施形態のオキシデーションディッチの改修方法によれば、既設の曝気撹拌装置９０（９１）を撤去し、新設の縦軸型曝気撹拌装置３を、インペラ９が整流壁７の下流側の端部７ａより下流側の直線流路５に位置するように設置すると共に、この設置によって上流側の円弧流路６の内周側流路８ａへ向かうインペラ９による噴出流を逆流防止板１３により遮り上流側へ向かうことを阻止し、これにより下流側に向かう良好な循環撹拌流を形成できるようにしているため、円弧流路６に整流壁７を有するオシキデーションディッチであっても、槽内に効率良く循環撹拌流を形成できる縦軸型曝気撹拌装置３を簡易に設置でき、低コストで改修できる。
【００３６】
図６は、本発明の第２実施形態に係るオキシデーションディッチを示す平面図である。
【００３７】
この第２実施形態のオキシデーションディッチ２００が第１実施形態のオキシデーションディッチ１００と違う点は、平面視馬蹄形の水槽２１に対して適用した点である。
【００３８】
具体的には、水槽２１は、その外周壁を形成する周囲壁２４が平面視馬蹄形を成し、仕切壁２２は、馬蹄形内において内側の周囲壁（中央で横方向に延びる周囲壁）２４ａを外側から囲むようにＵ字状を成し、循環流路は、主要流路となる直線状の直線流路２５と、この直線流路２５，２５の端部同士を接続する平面視略半円状の円弧流路２６と、を備えている。この円弧流路２６には、混合液が円滑に旋回するように平面視円弧状を成す整流壁２７が設けられ（図示左端の円弧流路は除く）、円弧流路２６の整流壁２７より内周側に、曲率が大きい内周側流路２８ａが形成されると共に、外周側に、これより曲率が小さい外周側流路２８ｂが形成されている。
【００３９】
縦軸型曝気撹拌装置３、架台１２及び逆流防止板１３の構成は第１実施形態と同様であり、インペラ９は、平面視反時計回りに回転する。これらの縦軸型曝気撹拌装置３、架台１２及び逆流防止板１３を有するユニットは、ここでは、図示右側上下の円弧流路２６寄りに、具体的には、そのインペラ９が、図示右側上下の整流壁２７の下流側の端部２７ａより下流側の直線流路２５に位置するように各々配置され、逆流防止板１３は、第１実施形態と同様に、インペラ９の側方に位置し円弧流路２６の内周側流路２８ａの出口を塞ぐように配設され、その鉛直下側の領域は開けられて循環撹拌流が流通可能とされている。そして、架台１２を水槽２１の周囲壁２４（２４ａ）と仕切壁２２に亘って載置することで、インペラ９及び逆流防止板１３が前述した所定位置に配置されている。このようなオキシデーションディッチ２００にあっては、第１実施形態と同様に、タイマー制御により、所定時間ごとに槽全体が無酸素処理槽又は好気処理槽とされる。
【００４０】
次に、このような構成を有する第２実施形態に係るオキシデーションディッチを得るためのオキシデーションディッチの改修方法について説明する。
【００４１】
図７は、オキシデーションディッチの改修方法を説明するための平面図であり、既設の曝気撹拌装置が横軸型曝気撹拌装置である場合の図、図８は、既設の曝気撹拌装置が斜軸型曝気撹拌装置である場合の図、図９は、図７、図８に続く改修方法を説明するための平面図である。
【００４２】
既設のオキシデーションディッチにあって、曝気撹拌装置として、図７に示すように、各直線流路２５に横軸型曝気撹拌装置９０が各々用いられている場合には、当該既設の横軸型曝気撹拌装置９０を撤去すると共に、図９に示すように、新設の縦軸型曝気撹拌装置３を設置すべくスラブ１４の対応部分を撤去し（ここでは図示右側の上下の横軸型曝気撹拌装置９０の撤去部分が対象でこれより図示左右方向のスラブをさらに撤去し）、架台１２を設置するための開口１５を各々設ける。また、図示左側の上下の横軸型曝気撹拌装置９０を撤去した部分に対してはスラブ１４により覆う。なお、図８に示すように、各直線流路２５の略中央位置に斜軸型曝気撹拌装置９１が各々用いられている場合も同様に、当該既設の斜軸型曝気撹拌装置９１を撤去すると共に、図９に示すように、新設の縦軸型曝気撹拌装置３を設置すべくスラブ１４の対応部分を撤去し、架台１２を設置するための開口１５を各々設ける。因みに、斜軸型曝気撹拌装置９１を撤去した部分に対してはスラブ１４により覆う。
【００４３】
次いで、図９に示す開口１５に対し、第１実施形態と同様に、架台１２を水槽２１の周囲壁２４（２４ａ）と仕切壁２２に亘って載置すると、インペラ９及び逆流防止板１３が所定位置にセットされ、図６に示すオキシデーションディッチ２００が得られる。
【００４４】
このようにして得られたオキシデーションディッチ２００にあっては、第１実施形態と同様に、インペラ９より上流側の円弧流路２６の内周側流路２８ａへ向かう噴出流は逆流防止板１３により遮られてインペラ９より上流側へ向かうことが阻止されるため、矢印で示すように円弧流路２６の外周側流路２８ｂを通り下流側に向かう良好な循環撹拌流が形成され、従って、円弧流路２６に整流壁２７を有するオシキデーションディッチ２００であっても、縦軸型曝気撹拌装置３によって槽内に効率良く循環撹拌流を形成できる。
【００４５】
また、第１実施形態と同様に、縦軸型曝気撹拌装置３と逆流防止板１３は一体のユニットとされ、架台１２を周囲壁２４（２４ａ）と仕切壁２２に亘って載置することで、インペラ９及び逆流防止板１３が所定位置に配置されるため、設置工事が非常に容易である。
【００４６】
また、本実施形態のオキシデーションディッチの改修方法によれば、第１実施形態と同様に、既設の曝気撹拌装置９０（９１）を撤去し、新設の縦軸型曝気撹拌装置３を、インペラ９が整流壁２７の下流側の端部２７ａより下流側の直線流路２５に位置するように設置すると共に、この設置によって上流側の円弧流路２６の内周側流路２８ａへ向かうインペラ９による噴出流を逆流防止板１３により遮り上流側へ向かうことを阻止し、これにより下流側に向かう良好な循環撹拌流を形成できるようにしているため、円弧流路２６に整流壁２７を有するオシキデーションディッチであっても、槽内に効率良く循環撹拌流を形成できる縦軸型曝気撹拌装置３を簡易に設置でき、低コストで改修できる。
【００４７】
さらにまた、本実施形態にあっては、横軸型曝気撹拌装置９０、斜軸型曝気撹拌装置９１に比して撹拌力が強い縦軸型曝気撹拌装置３を用いているため、その設置台数（位置）は、横軸型曝気撹拌装置９０、斜軸型曝気撹拌装置９１を用いていた既設の設備の半分以下で済むようになっている。
【００４８】
なお、図６に示すように、周囲壁２４ａの図示左端部に近い内側の円弧流路２６の下流側、具体的には、整流壁２７の下流側の端部２７ａより下流側の直線流路２５において符号Ｘで示す位置に、インペラ９が位置するように縦軸型曝気撹拌装置３をさらに設置しても良い。この場合も、外周側流路２８ｂに循環撹拌流が流れるようにするため、位置Ｘのインペラ９の回転方向は他の位置のインペラ９とは逆の平面視時計回りとなり、逆流防止板１３は、他の位置の逆流防止板１３と同様に、内周側流路２８ａを塞ぐように設置される。因みに、この位置Ｘの縦軸型曝気撹拌装置３の能力を大きくすれば、図６に示した図示右側上下の縦軸型曝気撹拌装置３，３は無くても良い場合がある。
【００４９】
以上、本発明をその実施形態に基づき具体的に説明したが、本発明は上記実施形態に限定されるものではなく、例えば、上記実施形態においては、特に好ましいとして、タイマー制御により、所定時間ごとに槽全体を無酸素処理槽又は好気処理槽としているが、槽全体を、全部のインペラ９が上記のように曝気撹拌を行うことにより好気処理槽としても良い。また、上流側のインペラ９から下流側のインペラ９までを、上流側のインペラ９が上記のように無酸素撹拌を行うことにより無酸素領域とし、下流側のインペラ９から上流側のインペラまでを、下流側のインペラ９が上記のように曝気撹拌を行うことにより好気領域としても良い。
【００５０】
また、上記実施形態においては、槽をスラブ１４により覆うようにしているが、何らかで覆蓋しても良い。
【００５１】
また、上記実施形態では、混合液が円滑に旋回し効率良く循環撹拌流を形成できるように、下流側へ向かう循環撹拌流を外周側流路８ｂ，２８ｂに流し、逆流防止板１３を内周側流路８ａ，２８ａを遮るように設けているが、インペラ９の回転方向を上記とは逆とし、下流側へ向かう循環撹拌流を内周側流路８ａ，２８ａに流すと共に、逆流防止板１３を外周側流路８ｂ，２８ｂを遮るように設けても良い。
【００５２】
また、循環撹拌流の流れる向きが上記実施形態とは逆の場合には、上記インペラは、整流壁の下流側の端部より下流側の主要流路に位置し、その回転方向は上記とは逆となる。具体的には、例えば上記実施形態の平面視長円形の槽にあっては、循環撹拌流の流れる向きを平面視反時計回りとしているが、時計回りの流れの場合には、上記インペラは、整流壁の下流側の端部より下流側の主要流路に位置し、その回転方向は時計回りとなる。そして、その場合、逆流防止板は内周側流路を遮るように設けることになる。また、循環撹拌流の流れる向きを時計回りとしインペラの回転方向を反時計回りとした場合には、逆流防止板は外周側流路を遮るように設けることになる。
【００５３】
また、上記実施形態においては、オキシデーションディッチを代表する平面視長円形や馬蹄形の水槽を有するオキシデーションディッチに対する適用を述べているが、直線状の主要流路及び直線状の仕切壁を有せずに曲線状（平面視円弧状；約２／３円）の主要流路及び曲線状（円弧状）の仕切壁を具備し円弧流路に平面視円弧状の整流壁を備えた所謂Ｕ字形の水槽を有するオキシデーションディッチに対しても適用可能である。
【符号の説明】
【００５４】
１，２１…水槽、２，２２…仕切壁、３…縦軸型曝気撹拌装置（新設の曝気撹拌装置）、４，２４，２４ａ…周囲壁、５，２５…直線流路（主要流路）、６，２６…円弧流路、７，２７…整流壁、７ａ，２７ａ…整流壁の下流側の端部、８ａ，２８ａ…内周側流路、８ｂ，２８ｂ…外周側流路、９…インペラ、１０…回転軸（縦軸）、１１…駆動部、１２…架台、１３…逆流防止板、９０，９１…既設の曝気撹拌装置、１００，２００…オキシデーションディッチ。
【図１】
0005591751.tif 000002
【図２】
0005591751.tif 000003
【図３】
0005591751.tif 000004
【図４】
0005591751.tif 000005
【図５】
0005591751.tif 000006
【図６】
0005591751.tif 000007
【図７】
0005591751.tif 000008
【図８】
0005591751.tif 000009
【図９】
0005591751.tif 000010